【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
複数のオブジェクトを含む表示画面を表示する表示部を有する情報処理装置であって、
操作を受け付ける位置を特定するためのカーソルの座標に位置するオブジェクトである第１のオブジェクトに対する操作を受け付ける操作受付手段と、
前記第１のオブジェクト上においてカーソルが移動していない状態で、所定の条件を満たすか否かに応じて、前記操作受付手段で受け付ける操作を、前記第１のオブジェクトを選択するオブジェクト選択操作とするか、範囲選択を行う範囲選択操作とするかを決定する決定手段と、
前記決定手段による決定に応じて、前記オブジェクト選択操作、又は前記範囲選択操作を実行する選択操作制御手段と、
を備えることを特徴とする情報処理装置。
【請求項２】
前記条件は、前記第１のオブジェクト上のカーソルの位置を条件として含み、
前記カーソルの座標位置を特定する座標位置特定手段
を更に備え、
前記決定手段は、前記カードルが移動していない状態で、前記座標位置特定手段で特定した座標位置が、前記第１のオブジェクトとは別のオブジェクトである単一または複数の前記第２のオブジェクトの全体を含む矩形の角であって、前記座標位置特定手段で特定した座標位置に最も近い角の対頂角を有する領域内であった場合に、前記操作受付手段で受け付ける操作を、前記範囲選択操作とすることを決定し、前記座標位置が対頂角を有する領域内でなかった場合に、前記操作受付手段で受け付ける操作を、前記オブジェクト選択操作とすることを決定することを特徴とする請求項１に記載の情報処理装置。
【請求項３】
前記条件は、前記カーソルが移動していない状態で一定時間経過したか否かを条件として含み、
前記決定手段は、前記第１のオブジェクト上において前記カーソルが移動していない状態で一定時間経過したか否かの情報を用いて、前記操作受付手段で受け付ける操作を、前記オブジェクト選択操作とするか、前記範囲選択操作とするか決定することを特徴とする請求項１又は２に記載の情報処理装置。
【請求項４】
前記条件は、前記第２のオブジェクトが前記第１のオブジェクトに重なっているかを条件として含み、
前記決定手段は、前記第１のオブジェクト上において前記カーソルが移動していない状態で、前記第２のオブジェクトが前記第１のオブジェクトに重なって位置するか否かの情報を用いて、前記操作受付手段で受け付ける操作を、前記オブジェクト選択操作とするか、前記範囲選択操作とするか決定することを特徴とする請求項１乃至３のいずれか１項に記載の情報処理装置。
【請求項５】
前記第１のオブジェクトと、前記第１のオブジェクトではない前記第２のオブジェクトとが同一のグループに属しているか否かを判定するグループ判定手段を更に備え、
前記決定手段は、前記グループ判定手段で前記第１のオブジェクトと前記第２のオブジェクトが同一のグループに属していると判定した場合、前記第１のオブジェクトと前記第２のオブジェクトとを単一の前記第１のオブジェクトであるものとし、前記操作受付手段で受け付ける操作を、前記オブジェクト選択操作とするか、前記範囲選択操作とするか決定することを特徴とする請求項１乃至４のいずれか１項に記載の情報処理装置。
【請求項６】
前記決定手段により決定された操作に応じて、前記カーソルの表示を切り替えるカーソル切替手段
を備えることを特徴とする請求項１乃至５のいずれか１項に記載の情報処理装置。
【請求項７】
複数のオブジェクトを含む表示画面を表示する表示部を有する情報処理装置の制御方法であって、
操作受付手段が、操作を受け付ける位置を特定するためのカーソルの座標に位置するオブジェクトである第１のオブジェクトに対する操作を受け付ける操作受付工程と、
決定手段が、前記第１のオブジェクト上においてカーソルが移動していない状態で、所定の条件を満たすか否かに応じて、前記操作受付工程で受け付ける操作を、前記第１のオブジェクトを選択するオブジェクト選択操作とするか、範囲選択を行う範囲選択操作とするかを決定する決定工程と、
選択操作制御手段が、前記決定工程による決定に応じて、前記オブジェクト選択操作、又は前記範囲選択操作を実行する選択操作制御工程と、
を含むことを特徴とする情報処理装置の制御方法。
【請求項８】
複数のオブジェクトを含む表示画面を表示する表示部を有する情報処理装置で実行可能なプログラムであって、
前記情報処理装置を、
操作を受け付ける位置を特定するためのカーソルの座標に位置するオブジェクトである第１のオブジェクトに対する操作を受け付ける操作受付手段と、
前記第１のオブジェクト上においてカーソルが移動していない状態で、所定の条件を満たすか否かに応じて、前記操作受付手段で受け付ける操作を、前記第１のオブジェクトを選択するオブジェクト選択操作とするか、範囲選択を行う範囲選択操作とするかを決定する決定手段と、
前記決定手段による決定に応じて、前記オブジェクト選択操作、又は前記範囲選択操作を実行する選択操作制御手段として機能させることを特徴とする情報処理装置のプログラム。
【請求項９】
前記条件は、前記第１のオブジェクト上のカーソルの位置を条件として含み、
前記情報処理装置を、
前記カーソルの座標位置を特定する座標位置特定手段として機能させ、
前記決定手段は、前記カードルが移動していない状態で、前記座標位置特定手段で特定した座標位置が、前記第１のオブジェクトとは別のオブジェクトである単一または複数の前記第２のオブジェクトの全体を含む矩形の角であって、前記座標位置特定手段で特定した座標位置に最も近い角の対頂角を有する領域内であった場合に、前記操作受付手段で受け付ける操作を、前記範囲選択操作とすることを決定し、前記座標位置が対頂角を有する領域内でなかった場合に、前記操作受付手段で受け付ける操作を、前記オブジェクト選択操作とすることを決定することを特徴とする請求項８に記載の情報処理装置のプログラム。
【請求項１０】
前記条件は、前記カーソルが移動していない状態で一定時間経過したか否かを条件として含み、
前記決定手段は、前記第１のオブジェクト上において前記カーソルが移動していない状態で一定時間経過したか否かの情報を用いて、前記操作受付手段で受け付ける操作を、前記オブジェクト選択操作とするか、前記範囲選択操作とするか決定することを特徴とする請求項８又は９に記載の情報処理装置のプログラム。
【請求項１１】
前記条件は、前記第２のオブジェクトが前記第１のオブジェクトに重なっているかを条件として含み、
前記決定手段は、前記第１のオブジェクト上において前記カーソルが移動していない状態で、前記第２のオブジェクトが前記第１のオブジェクトに重なって位置するか否かの情報を用いて、前記操作受付手段で受け付ける操作を、前記オブジェクト選択操作とするか、前記範囲選択操作とするか決定することを特徴とする請求項１乃至１０のいずれか１項に記載の情報処理装置のプログラム。
【請求項１２】
前記情報処理装置を、
前記第１のオブジェクトと、前記第１のオブジェクトではない前記第２のオブジェクトとが同一のグループに属しているか否かを判定するグループ判定手段として機能させ、
前記決定手段は、前記グループ判定手段で前記第１のオブジェクトと前記第２のオブジェクトが同一のグループに属していると判定した場合、前記第１のオブジェクトと前記第２のオブジェクトとを単一の前記第１のオブジェクトであるものとし、前記操作受付手段で受け付ける操作を、前記オブジェクト選択操作とするか、前記範囲選択操作とするか決定することを特徴とする請求項１乃至１１のいずれか１項に記載の情報処理装置のプログラム。
【請求項１３】
前記情報処理装置を、
前記決定手段により決定された操作に応じて、前記カーソルの表示を切り替えるカーソル切替手段として機能させることを特徴とする請求項１乃至１２のいずれか１項に記載の情報処理装置のプログラム。
【手続補正２】
【補正対象書類名】明細書
【補正対象項目名】０００６
【補正方法】変更
【補正の内容】
【０００６】
特許文献１及び特許文献２では、オブジェクトを範囲選択する際の手間を解消することは考慮されているが、オブジェクトの単一選択とオブジェクトの範囲選択を切り替える操作が必要なため、新たな手間が生まれている。本発明は、オブジェクト上においてカーソルが移動していない状態で所定の条件を満たすか否かに応じて、単一選択操作と範囲選択操作のいずれを行うかを決定することで、当該操作の切り替えの手間を軽減することを目的とする。
【手続補正３】
【補正対象書類名】明細書
【補正対象項目名】０００７
【補正方法】変更
【補正の内容】
【０００７】
本発明の情報処理装置は、複数のオブジェクトを含む表示画面を表示する表示部を有する情報処理装置であって、操作を受け付ける位置を特定するためのカーソルの座標に位置するオブジェクトである第１のオブジェクトに対する操作を受け付ける操作受付手段と、前記第１のオブジェクト上においてカーソルが移動していない状態で、所定の条件を満たすか否かに応じて、前記操作受付手段で受け付ける操作を、前記第１のオブジェクトを選択するオブジェクト選択操作とするか、範囲選択を行う範囲選択操作とするかを決定する決定手段と、前記決定手段による決定に応じて、前記オブジェクト選択操作、又は前記範囲選択操作を実行する選択操作制御手段と、を備えることを特徴とする。
【手続補正４】
【補正対象書類名】明細書
【補正対象項目名】０００８
【補正方法】変更
【補正の内容】
【０００８】
本発明によれば、ユーザは特別な切り替え操作なしに、オブジェクト上においてカーソルが移動していない状態で所定の条件を満たすか否かに応じて、単一選択操作と範囲選択操作のいずれを行うかを決定することで、当該操作の切り替えの手間を軽減することができる。